(57)【要約】      （修正有）【課題】２つのシートを電動で簡単に収納できる回転収納シート装置を提供する。【解決手段】電磁クラッチ５に電力を供給することでシート１ａ，１ｂを回転収納させるシャフト１１，１１ａを電磁力によって連結させることができ、駆動装置４の力を両方のシートに伝えることができる。よって、両方のシートにモータをつける必要なく、１つの駆動装置で床下に回転収納することができる。【選択図】図１
2010155582.tif 000002
【特許請求の範囲】
【請求項１】
シートを車両床に設けた収納空間に収納する回転収納シート装置であって、
複数のシートが並列に設置され各々が独立して回転可能に支持された回転軸と、
シートを着座位置と収納位置の間で回転軸まわりに回動させる駆動装置と、
駆動装置の駆動力を隣り合ったシート間で伝達するまたは伝達しないことを切りかえ可能なクラッチを備えた回転収納シート装置。
【請求項２】
前記駆動装置がモータを備え、モータを動作させることで自動にシートを収納することができる請求項１に記載の回転収納シート装置。
【発明の詳細な説明】
【技術分野】
【０００１】
本発明は、自動車の後部側シートが車両床などに収納可能な回転収納シート装置に関し、特に収納動作を電動で行う回転収納シート装置に関するものである。
【背景技術】
【０００２】
ワンボックスカーなどの広い車内空間を有する車両には、不要時には２列目や３列目のシートを車両床下部に収納し、広い荷室を確保するようにいろいろなシートアレンジができるものがある。また、この回転収納動作で３列目のシート（サードシート）において、シートバックを前倒してシートクッションに重ね合わせ、そのシートバックを折りたたんだ状態で、シート装置全体を後方に回転させて車両床に設けられた凹部に収納するものが知られている（例えば、特許文献１参照）。
【０００３】
特許文献１に記載の車両用自動回転収納シートシステム（１０）は、シートバック前倒し機構と、シート揺動機構から構成されている。
【０００４】
シートバック前倒し機構は、シートバック（１１）のフレームであるシートバックフレーム（１３）に取り付けられたリクライニング機構部（１４）と、リクライニングロックアクチュエータ部（１５）から成っており、シートバック（１１）またはシートクッション（１２）側に、シートバック（１１）を前倒しさせてシートクッション（１２）と重ね合わすための機構である。
【０００５】
また、シート揺動機構はクッションロック機構部（１６）と、収納ユニット機構部（１７）から成っており、車体側に、重ね合わせたシートバック（１１）とシートクッション（１２）を揺動させて、シートの後方のフロアに形成された図示しない凹部に収納する機構である。
【０００６】
そして、シートバック前倒し機構およびシート揺動機構は、シート後方に配置する操作スイッチにより動作させることができ、シートの収納と復帰を行うことができる。
【０００７】
【特許文献１】特開特開２００４−２４９９６２号公報
【発明の開示】
【発明が解決しようとする課題】
【０００８】
しかしながら、上述した従来の回転収納シート装置は、並列した２つのシートのシートクッション（１２）は２席分がつながったベンチシートタイプのもので、収納するときには片方づつ独立して収納することができない。
【０００９】
また、２席を各々収納するには、シートクッションが独立したシートで、それぞれを駆動するためのモータが２つ必要になり、それらのモータを設置するスペースや電源等の配線の配索も必要になる。
【００１０】
本発明は、上述した課題を解決するためになされたものであり、２つのシートを電動で簡単に収納できる回転収納シート装置を提供することを目的とする。
【００１１】
上述した課題を解決するため、請求項１に記載の回転収納シート装置においては、シートを車両床に設けた収納空間に収納する回転収納シート装置であって、複数のシートが並列に設置され各々が独立して回転可能に支持された回転軸と、シートを着座位置と収納位置の間で回転軸まわりに回動させる駆動装置と、駆動装置の駆動力を隣り合ったシート間で伝達するまたは伝達しないことを切りかえ可能なクラッチを備えたことを技術的特徴とする。
【００１２】
また、請求項２に記載の回転収納シート装置においては、請求項１の特徴に加え、前記駆動装置がモータを備え、モータを動作させることで自動にシートを収納することができることを技術的特徴とする。
【発明の効果】
【００１３】
請求項１に記載の回転収納シート装置によれば、シートを車両床に設けた収納空間に収納する回転収納シート装置であって、複数のシートが並列に設置され各々が独立して回転可能に支持された回転軸と、シートを着座位置と収納位置の間で回転軸まわりに回動させる駆動装置と、駆動装置の駆動力を隣り合ったシート間で伝達するまたは伝達しないことを切りかえ可能なクラッチを備えた回転収納シートであるので、駆動装置の駆動力をクラッチで切りかえてそれぞれのシートを回転させることができ、ひとつのシートは乗員が着座するために着座状態にしておきたい場合に対応したシートアレンジを提供することができる。
【００１４】
また、請求項２に記載の回転収納シート装置は、請求項１の効果に加え、前記駆動装置がモータを備え、モータを動作させることで自動にシートを収納することができるので、操作が楽であり、また、遠隔からのスイッチ操作でシートアレンジの形態を操作することができる。
【発明を実施するための最良の形態】
【００１５】
本発明にかかる回転収納シート装置について図面を参照して詳細に説明する。図１は、本発明にかかる回転収納シート装置１の概略図である。図２は、回転収納シート装置１の一作動を示す概略図である。図３は、回転収納シート装置１の他の一作動を示す概略図である。
【００１６】
回転収納シート装置１は、例えば車両の３列目に配設される少なくとも２脚１組のシート１ａ，１ｂであって、車両床面にシャフト１１，１１ａを回転軸として回転可能なシートクッション２，２ａと、該シートクッション２，２ａに回転可能に取り付けられたシートバック３，３ａと、シャフト１１，１１ａを回転駆動する駆動装置４とから構成されている。
【００１７】
シートバック３，３ａは、任意の角度で固定可能な公知なリクライニング装置を介してシートクッション２，２ａに連結されており、モータ等で駆動する電動式または乗員が手動で操作する手動式のいずれかが装備されるようになっている。
【００１８】
シャフト１１，１１ａは、それぞれ独立して回転することが可能で、シート１ａが回転して収納されるときであってもシート１ｂは着座できる状態を保持することができる。また、シャフト１１，１１ａと間には電磁クラッチ５が備えられており、その電磁クラッチ５に電力を供給することによってシャフト１１，１１ａが連動して回動することが可能になる。
【００１９】
駆動装置４は、モータとギヤから構成され、運転席等の離れた場所にあるスイッチ（図示しない）を操作することによって遠隔操作が可能である。また、駆動装置４は、シャフト１１の一端に連結され、シャフト１１を回動することが可能となる。
【００２０】
次に、上述した構成による回転収納シート装置１の動作を説明する。まず、通常乗員が使用する状態は図１に示されている状態であって、各シート１ａ，１ｂはリクライニング装置によりシートバック３，３ａを調節して背もたれを任意の位置に固定することができる。
【００２１】
シートを一方側だけ回転収納したい場合は、図２にも示されているように、シートバック３をシートクッション２と面合わせになるように前倒しし、駆動装置４によってシャフト１１を回動することで、シート１ａが着座位置から収納位置まで回転し収納されるようになっている。この時、シャフト１１ａには駆動装置４の駆動力は伝達されない状態になっているので、シート１ｂを回転収納する場合は手動にて行えるようになっている。本発明では、シート１ａを電動で、シート１ｂを手動で着座位置から収納位置まで回転し収納できるようにしているが、車の仕様によって電動と手動を逆にしても問題とならないことは言うまでもない。
【００２２】
また、シートを１組同時に回転収納したい場合は、図３に示されているように、シート１ａ，１ｂのシートバック３，３ａをシートクッション２，２ａと面合わせになるように前倒しする。そして、電磁クラッチ５にスイッチ等でバッテリーから電力を供給することでシャフト１１，１１ａを電磁力によって連結し、シャフト１１の回転がシャフト１１ａに伝わるようにする。その後、駆動装置４によってシャフト１１，１１ａを回動することで、シート１ａ，１ｂが着座状態から収納位置まで回転し収納されるようになっている。こうすることで、シート１ａ，１ｂの両方のシートにモータ等の駆動装置を用いることなく１組のシートを同時に回転収納することが可能となる。
【００２３】
さらに、駆動装置４はシート１ａ，１ｂのどちら側に配設しても同様の効果が得られ、シートバック３，３ａの状態によって駆動装置４の作動を制御させることも可能である。
【００２４】
このように本発明にかかる回転収納シート装置では、電磁クラッチ５に電力を供給することでシート１ａ，１ｂを回転収納させるシャフト１１，１１ａを電磁力によって連結させることができ、駆動装置４の力を両方のシートに伝えることができる。よって、両方のシート１ａ，１ｂにモータをつける必要なく、１つの駆動装置で床下に回転収納することができることとなる。
【図面の簡単な説明】
【００２５】
【図１】図１は、本発明にかかる回転収納シート装置１の概略図である。
【図２】図２は、回転収納シート装置１の一作動を示す概略図である。
【図３】図３は、回転収納シート装置１の他の一作動を示す概略図である。
【符号の説明】
【００２６】
１  シート装置
１ａ，１ｂ  シート
１１，１１ａ  シャフト
２，２ａ  シートクッション
３，３ａ  シートバック
４  駆動装置
５  電磁クラッチ
【図１】
2010155582.tif 000003
【図２】
2010155582.tif 000004
【図３】
2010155582.tif 000005